(57)【要約】      （修正有）【課題】乳幼児がある程度成長しても身体のサイズに合わせ易く、許容範囲の広いベビー用衣服を提供する。【解決手段】後身頃の片側に繋がる片側の前身頃３と、同じくこの後身頃の他側に繋がる他側の前身頃４と、左右の両袖部分５とで構成した上着部分６と、この上着部分６の後身頃に繋がる股下部分７とからなり、後身頃２と両前身頃３，４との繋がり部にフラップ１１の基部が縫い付けられており、このフラップ１１の先端部内面に表面に無数の鉤部を備えた支持体が接合され、前記股下部分７の先端部外面に表面に無数のループ部を備えた支持体１３が接合されていて、前記フラップ１１の先端部内面および前記股下部分７の先端部外面に前記両支持体１３他からなる係脱自在の面ファスナーを設ける。【選択図】図２
0003149275.tif 000002
【実用新案登録請求の範囲】
【請求項１】
後身頃と、この後身頃の片側に繋がる片側の前身頃と、同じくこの後身頃の他側に繋がる他側の前身頃と、左右の両袖部分とで構成した上着部分と、この上着部分の後身頃に繋がる股下部分とからなり、後身頃と両前身頃との繋がり部にフラップの基部が縫い付けられており、このフラップの先端部内面に表面に無数の鉤部を備えた支持体が接合され、前記股下部分の先端部外面に表面に無数のループ部を備えた支持体が接合されていて、前記フラップの先端部内面および前記股下部分の先端部外面に前記両支持体からなる係脱自在の面ファスナーが設けられていることを特徴とするベビー用衣服。
【請求項２】
股下部分は上着部分の後身頃の下端部から一体に繋がっていることを特徴とする請求項１記載のベビー用衣服。
【請求項３】
股下部分は上着部分の後身頃の内側に縫着により繋がっていることを特徴とする請求項１記載のベビー用衣服。
【考案の詳細な説明】
【技術分野】
【０００１】
本考案は、外衣とオーバーパンツが一体化したベビー用衣服に関するものである。
【背景技術】
【０００２】
従来のこの種ベビー用衣服としては、例えば特許文献１に開示されているような、上衣と下衣が一体に連結しており、下衣部の下側が開放されている乳幼児用衣服において、下衣部がその下側に衣服の前後身頃にそれぞれ凸状の股覆い布を延設し、前記それぞれの凸状の股覆い布をつなぎ留めして当該つなぎ留められた股覆い布の両側から両足が出るのを可能とし、且つ前後股覆い布それぞれの外側の身丈方向上部に第１の留め手段を、前後股覆い布それぞれの内側の身丈方向下部に第２の留め手段を設け、前後股覆い布のいずれかの第１の留め手段と前後股覆い布の他方の第２の留め手段を係合させることにより、前後いずれ側からも股覆い布をつなぎ留められるよう構成したものが知られている。
【先行技術文献】
【特許文献】
【０００３】
【特許文献１】特開２００４−３６３１０２号公報
【考案の概要】
【考案が解決しようとする課題】
【０００４】
上記特許文献１に開示されている乳幼児用衣服の形態では下部に乳幼児の両脚を通す開口部が形成されるように股部がホックにより開閉自在に構成されている。しかしながら、この乳幼児用衣服は肩部と股部との長さを調整できるような構成とはなっておらず、僅かな許容範囲はあるものの乳幼児の身長が伸びるとサイズが合いにくくなり、この衣服を例えば生後３ヶ月から１年までのような長期間に亘って乳幼児に着用させるのは不可能であるという問題がある。つまり、上記特許文献１に開示されている乳幼児用衣服では乳幼児の成長の過程で使用できる期間が短期間になってしまうという問題がある。
【０００５】
本考案の目的は、このような課題を解決するものであり、乳幼児がある程度成長しても身体のサイズに合わせ易く、許容範囲の広いベビー用衣服を提供することにある。
【課題を解決するための手段】
【０００６】
本考案の請求項１に記載のベビー用衣服は、後身頃と、この後身頃の片側に繋がる片側の前身頃と、同じくこの後身頃の他側に繋がる他側の前身頃と、左右の両袖部分とで構成した上着部分と、この上着部分の後身頃に繋がる股下部分とからなり、後身頃と両前身頃との繋がり部にフラップの基部が縫い付けられており、このフラップの先端部内面に表面に無数の鉤部を備えた支持体が接合され、前記股下部分の先端部外面に表面に無数のループ部を備えた支持体が接合されていて、前記フラップの先端部内面および前記股下部分の先端部外面に前記両支持体からなる係脱自在の面ファスナーが設けられていることを特徴とする。
【０００７】
請求項２に記載のベビー用衣服は、股下部分は上着部分の後身頃の下端部から一体に繋がっていることを特徴とする。
請求項３に記載のベビー用衣服は、股下部分は上着部分の後身頃の内側に縫着により繋がっていることを特徴とする。
【考案の効果】
【０００８】
以上のように、本考案のベビー用衣服は、後身頃と、この後身頃の片側に繋がる片側の前身頃と、同じくこの後身頃の他側に繋がる他側の前身頃と、左右の両袖部分とで構成した上着部分と、この上着部分の後身頃に繋がる股下部分とからなり、後身頃と両前身頃との繋がり部にフラップの基部が縫い付けられており、このフラップの先端部内面に表面に無数の鉤部を備えた支持体が接合され、前記股下部分の先端部外面に表面に無数のループ部を備えた支持体が接合されていて、前記フラップの先端部内面および前記股下部分の先端部外面に前記両支持体からなる係脱自在の面ファスナーが設けられていることにより上着（外衣）とオーバーパンツが一体化したベビー用衣服を提供することができる。そして、本考案のベビー用衣服は、股下部分の先端部外面に接合された表面のループ部を備えた支持体にある程度の大きさの面積を備えているので、乳幼児の身体の成長に合わせて両支持体の係合位置を調整できるものである。また、股下部分が上着部分の後身頃の下端部から一体に繋がっていることにより、股下部分が上着部分に繋がっている衣服であっても、少なくとも前側では上着部分と股下部分がセパレートタイプの衣服に見える。さらに、股下部分が上着部分の後身頃の内側に縫着により繋がっていることにより、股下部分が上着部分に繋がっている衣服であっても、前側および後側において上着部分と股下部分がセパレートタイプの衣服に見える。
【図面の簡単な説明】
【０００９】
【図１】本考案の第１の実施の形態におけるベビー用衣服の展開図である。
【図２】同股下部分でおむつの上から覆った状態を示す斜視図である。
【図３】同下前身頃と上前身頃を閉じた状態を示す斜視図である。
【図４】本考案の第２の実施の形態におけるベビー用衣服の展開図である。
【図５】同股下部分でおむつの上から覆った状態を示す斜視図である。
【図６】同下前身頃と上前身頃を閉じた状態を示す斜視図である。
【考案を実施するための形態】
【００１０】
以下、本考案の実施の形態を、図面に基づき具体的に説明する。
先ず、図１〜図３に示す第１の実施の形態について説明すると、１は本実施の形態にかかるベビー用衣服で、後身頃２と、この後身頃２の左側に繋がる下前身頃３と、同じくこの後身頃２の右側に繋がる上前身頃４と、左右の両袖部分５とで上着部分６を構成し、前記後身頃２の下端から延び後身頃２と一体の股下部分７を備えている。さらに詳しくは、前記下前身頃３および上前身頃４には互いに係合する雄型ホック８および雌型ホック９を備え、乳幼児１０に着用させた状態において身体の中央で雄型ホック８と雌型ホック９を係合させ下前身頃３と上前身頃４が閉じられるようになっている。また、前記後身頃２と下前身頃３ならびに上前身頃４との繋がり部にフラップ１１，１１の基部が縫い付けられており、このフラップ１１，１１の先端部内面に表面に無数の鉤部を備えた支持体１２，１２が接合され、前記股下部分７の先端部外面に表面に無数のループ部を備えた支持体１３が接合されている。つまり、前記フラップ１１，１１の先端部内面および前記股下部分７の先端部外面に前記両支持体１２および１３からなる係脱自在の面ファスナーが設けられている。
【００１１】
上記構成のベビー用衣服１を乳幼児１０に着用せるときは、ベビー用衣服１を展開させた状態で後身頃２の上に乳幼児１０の身体を仰向け状態で寝かせ、両袖部分５に腕が通され、その状態で前記股下部分７でおむつの上から覆い、前記フラップ１１，１１の先端部内面の支持体１２の鉤部を股下部分７の先端部外面の支持体１３表面のループ部に係合させることによりオーバーパンツが履かされた状態となり、かかる状態で下前身頃３と上前身頃４で乳幼児１０の身体の前側を覆い、前記雄型ホック８と雌型ホック９を係合させることにより上着部分６が着せられた状態となる。
【００１２】
ところで、本実施の形態のベビー用衣服１は股下部分７の先端部外面に接合された表面のループ部を備えた支持体１３の面積が大きく作られており、乳幼児１０の身体の成長に合わせて支持体１３と支持体１２との係合位置を調整できるものである。
【００１３】
次に、図４〜図６に示す第２の実施の形態について説明すると、前記第１の実施の形態では股下部分７は後身頃２の下端から延びるように後身頃２と一体に形成されているが、第２の実施の形態では後身頃２の内側に股下部分７を縫着により繋ぎ合わせている。そして、第１の実施の形態では下前身頃３は後身頃２の左側に繋がり、上前身頃４は後身頃２の右側に繋がって、女の子用に作られているが、第２の実施の形態では下前身頃３は後身頃２の右側に繋がり、上前身頃４は後身頃２の左側に繋がって、男の子用に作られている。他の構成は第１の実施の形態と同様である。
【産業上の利用可能性】
【００１４】
本考案のベビー用衣服は、上着（外衣）と股下部分（オーバーパンツ）を一体的に備え、乳幼児の身体の成長に合わせて股下部分の先端部外面に接合された支持体に対するフラップの先端部内面の支持体の係合位置を変更でき、乳幼児がある程度成長しても身体のサイズに合わせ易く、許容範囲の広いベビー用衣服である。
【符号の説明】
【００１５】
１          ベビー用衣服
２          後身頃
３          下前身頃
４          上前身頃
５          袖部分
６          上着部分
７          股下部分
８          雄型ホック
９          雌型ホック
１０          乳幼児
１１          フラップ
１２，１３    支持体
【図１】
0003149275.tif 000003
【図２】
0003149275.tif 000004
【図３】
0003149275.tif 000005
【図４】
0003149275.tif 000006
【図５】
0003149275.tif 000007
【図６】
0003149275.tif 000008